(57)【要約】【課題】映像領域の変化による表示画面全体の平均の明るさ変化を低減するデジタル表示モジュールを備えた表示装置の提供を目的とする。【解決手段】本発明の表示装置は、表示画面の明るさに関連する所定の指示値を外部より設定自在なデジタル表示モジュール１４と、入力されたデジタル映像信号のアスペクト比に応じて、デジタル表示モジュールに表示する表示映像のサイズを調整するスケーリング部１２と、表示映像のサイズに基づいて外部より設定された指示値を調整する明るさ発生部１３とを備える。【選択図】図１
2011199658.tif 000002
【特許請求の範囲】
【請求項１】
表示画面の明るさに関連する所定の指示値を外部より設定自在なデジタル表示モジュールと、
入力されたデジタル映像信号のアスペクト比に応じて、前記デジタル表示モジュールに表示する表示映像のサイズを調整するスケーリング部と、
前記表示映像のサイズに基づいて前記外部より設定された指示値を調整する明るさ発生部とを備える表示装置。
【請求項２】
前記所定の指示値は、前記デジタル表示モジュールのバックライトの明るさの指示値であることを特徴とする、請求項１に記載の表示装置。
【請求項３】
前記所定の指示値は、前記表示映像のコントラストの指示値であることを特徴とする請求項１に記載の表示装置。
【請求項４】
前記所定の指示値は、前記表示映像の黒レベルの指示値であることを特徴とする請求項１に記載の表示装置。
【請求項５】
前記デジタル表示モジュールは、液晶モジュール、ＰＤＰモジュール、ＥＬモジュールのいずれかであることを特徴とする、請求項１〜４のいずれかに記載の表示装置。
【発明の詳細な説明】
【技術分野】
【０００１】
この発明は、液晶画面などの表示モジュール画面に表示される映像領域の大きさが変化しても、画面全体の平均の明るさが変わらない表示装置に関する。
【背景技術】
【０００２】
表示装置の一例である液晶テレビには、パーソナルコンピュータ用の入力端子を有しているものが多い。パーソナルコンピュータから入力される映像信号のアスペクト比は、横：縦＝４：３，５：４，１５：９，１６：９，１６：１０等様々である。
【０００３】
液晶画面のアスペクト比と入力映像のアスペクト比が異なる場合、入力映像のアスペクト比を保って表示するのが一般的であり、液晶画面の上下端又は左右端は映像を表示しない黒色の領域になる。
【０００４】
このような液晶テレビにおいては、利用者がバックライトの明るさ等の入力映像の明るさに関する設定を行ったとしても、アスペクト比が異なる入力映像に切り替わった時には、液晶画面内の映像が表示される領域（映像領域）の面積が変わるため、明るさも異なったように感じ、再度明るさに関する設定を調整しなければならないという問題があった。
【０００５】
表示画面上の映像領域の大きさによって明るさを制御する表示方法については、例えば特許文献１に示されている。
【先行技術文献】
【特許文献】
【０００６】
【特許文献１】特開平６−３０３５５６号公報
【発明の概要】
【発明が解決しようとする課題】
【０００７】
上述したように、従来の表示装置においては、入力映像のアスペクト比が変動して表示画面上の映像領域の面積が変わると、明るさも異なったように感じるため、視聴者は明るさに関する設定を調整しなければならないという問題がある。特許文献１に記載の表示方法は、ブラウン管テレビを対象としたものであり、回路構成や制御方法が異なるデジタル表示モジュールを備えた液晶テレビなどの表示装置に適用することは出来ない。
【０００８】
本発明は上述の問題点に鑑みてなされたものであり、映像領域の変化による表示画面全体の平均の明るさ変化を低減するデジタル表示モジュールを備えた表示装置の提供を目的とする。
【課題を解決するための手段】
【０００９】
本発明の表示装置は、表示画面の明るさに関連する所定の指示値を外部より設定自在なデジタル表示モジュールと、入力されたデジタル映像信号のアスペクト比に応じて、デジタル表示モジュールに表示する表示映像のサイズを調整するスケーリング部と、表示映像のサイズに基づいて当該外部より設定された指示値を調整する明るさ発生部とを備える。
【発明の効果】
【００１０】
本発明の表示装置は、表示画面の明るさに関連する所定の指示値を外部より設定自在なデジタル表示モジュールと、入力されたデジタル映像信号のアスペクト比に応じて、デジタル表示モジュールに表示する表示映像のサイズを調整するスケーリング部と、表示映像のサイズに基づいて当該外部より設定された指示値を調整する明るさ発生部とを備える。そのため、入力映像のアスペクト比が変化しても、同じ明るさで映像を表示することができる。
【図面の簡単な説明】
【００１１】
【図１】実施の形態１の表示装置の構成を示すブロック図である。
【図２】液晶画面と映像領域を示す図である。
【発明を実施するための形態】
【００１２】
（実施の形態１）
＜構成＞
図１は、実施の形態１の表示装置の構成を示すブロック図である。表示装置は、デジタル表示モジュール１４と、図示しない供給手段から受けたデジタル映像信号Ｖdのアスペクト比に応じてデジタル表示モジュール１４に表示する表示映像（画面内の映像が表示される領域）のサイズを調整するスケーリング部１２と、デジタル表示モジュール１４に表示される映像の明るさを調整する明るさ発生部１３と、制御部１１とを備えている。デジタル表示モジュール１４は例えば液晶モジュールであり、他にはＰＤＰ（Ｐｌａｓｍａ  Ｄｉｓｐｌａｙ  Ｐａｎｅｌ）モジュールやＥＬ（Ｅｌｅｃｔｒｏ  Ｌｕｍｉｎｅｓｃｅｎｃｅ）モジュールなどであってもよい。以後、液晶モジュール１４として説明する。液晶モジュール１４は、バックライトの明るさ等の表示画面の明るさに関連する所定の指示値をユーザーが外部から設定することができる。
【００１３】
制御部１１は、図示しない判定手段によって判定されたデジタル映像信号Ｖdのアスペクト比と、液晶モジュール１４の画面の大きさに基づき、デジタル映像信号Ｖdをどれだけ拡大または縮小するかを決定する制御信号Ｓｓをスケーリング部１２に送る。
【００１４】
スケーリング部１２は、制御部１１から制御信号Ｓsを受け、これに基づきデジタル映像信号Ｖdを拡大または縮小した映像信号Ｖ1を液晶モジュール１４に送る。液晶モジュール１４では映像信号Ｖ1に基づき映像が表示される。
【００１５】
また、制御部１１は液晶モジュール１４の画面全体の明るさを制御する制御信号Ｓbを明るさ発生部１３に送り、明るさ発生部１３は制御信号Ｓbに基づき明るさ信号Ｖbを発生し、液晶モジュール１４の画面全体の明るさを調整する。例えば、液晶モジュール１４においてバックライトの明るさが調整される。制御信号Ｓb、明るさ信号Ｖbについては後述する。
【００１６】
＜明るさ制御＞
制御部１１、明るさ発生部１３が行う明るさ制御について説明する。例えば、液晶モジュール１４の画面解像度が１３６６×７６８の液晶テレビであったとすると、液晶画面の水平画素数ＰhはＰh＝１３６６、液晶画面の垂直画素数ＰvはＰv＝７６８となる。この液晶画面のアスペクト比は横：縦＝１６：９である。
【００１７】
ここで、解像度が１３６６×７６８の映像が液晶モジュール１４に入力されたとすると、この入力映像のアスペクト比は横：縦＝１６：９であり、入力のアスペクト比を保ったまま表示するとすれば図２（ａ）のように、液晶画面いっぱいに表示される。映像領域の水平画素数ＶhはＶh＝１３６６、映像領域の垂直画素数ＶvはＶv＝７６８である。
【００１８】
一方、液晶モジュール１４のバックライトの明るさは、明るさ発生部１３が出力する明るさ発生信号Ｖbによって調整される。Ｖbは図示しない設定手段および制御部１１を介してユーザーが外部から設定することの出来る値であり、０（％）≦Ｖb≦１００（％）の範囲で設定することができる。例えば、図２（ａ）の表示の時にユーザーがＶb＝５０％の明るさに設定したとする。
【００１９】
次に、ユーザーが液晶モジュール１４への入力映像を解像度１０２４が１０２４×７６８の映像に切り替えたとする。この入力映像のアスペクト比は、横：縦＝４：３であるため、入力のアスペクト比を保ったまま表示すると、図２（ｂ）のように左右に映像が表示されない黒色領域を形成して表示される。なお、Ｖh＝１０２４、Ｖv＝７６８となる。
【００２０】
図２（ｂ）では、図２（ａ）に比べて映像領域の面積が小さくなってしまうため、画面全体の平均輝度が下がってしまう。図２（ｂ）の平均輝度を図２（ａ）と同じにするためには、
【００２１】
【数１】
2011199658.tif 000003
【００２２】
となるようにＶbを制御すれば良い。つまり、利用者の設定した明るさ調整値をＵb（０（％）≦Ｕb≦１００（％））とすると、明るさ発生部１３の出力が
【００２３】
【数２】
2011199658.tif 000004
【００２４】
となるように制御すればよい。上記のように明るさ発生部１３がＶbを出力するように、制御部１１が制御信号Ｓbを明るさ発生部１３に送る。以上のように明るさを制御することによって、様々なアスペクト比の映像入力を様々な大きさで画面上に表示する際の、液晶画面全体の平均の明るさ変化を低減することができる。
【００２５】
なお、液晶のバックライトの明るさに限らず、映像のコントラストや黒レベルなど、明るさに関する他の指示値も映像の表示面積に応じて同様の制御を行うことが可能である。
【００２６】
＜効果＞
本実施の形態の表示装置によれば、以下の効果を奏する。すなわち、本実施の形態の表示装置は、表示画面の明るさに関連する所定の指示値を外部より設定自在なデジタル表示モジュール１４と、入力されたデジタル映像信号のアスペクト比に応じて、デジタル表示モジュール１４に表示する表示映像のサイズを調整するスケーリング部１２と、表示映像のサイズに基づいて、当該外部より設定された指示値を調整する明るさ発生部１３とを備える。これにより、入力映像のアスペクト比が変化しても、同じ明るさで映像を表示することができる。
【００２７】
また、外部より設定する所定の指示値は、デジタル表示モジュール１４のバックライトの明るさの指示値であるものとする。これにより、入力映像のアスペクト比が変化しても、バックライトの明るさを調整して同じ明るさの映像を表示することができる。
【００２８】
あるいは、外部より設定する所定の指示値は、表示映像のコントラストの指示値であるものとする。これにより、入力映像のアスペクト比が変化しても、コントラストを一定に保って映像を表示することができる。
【００２９】
あるいは、外部より設定する所定の指示値は、表示映像の黒レベルの指示値であるものとする。これにより、入力映像のアスペクト比が変化しても、黒レベルを一定に保って映像を表示することができる。
【００３０】
また、デジタル表示モジュール１４は、液晶モジュール、ＰＤＰモジュール、ＥＬモジュールのいずれかであるものとする。本発明は、このような様々な平面表示素子をもつ表示装置に適用可能なものである。
【符号の説明】
【００３１】
１１  制御部、１２  スケーリング部、１３  明るさ発生部、１４  デジタル表示モジュール。
【図１】
2011199658.tif 000005
【図２】
2011199658.tif 000006